(57)【特許請求の範囲】
【請求項１】
ゲームの進行を管理するメイン制御部と、前記メイン制御部から入力される制御信号に基づいて所定の表示手段を駆動制御することにより、ゲームの進行に係る所定の演出制御を行うサブ制御部と、を備える遊技機であって、
前記サブ制御部は、
一又は二以上の情報からなる当該遊技機に係る個体情報を２次元コードに変換する２次元コード変換手段と、
前記２次元コード変換手段により変換される個体情報を記憶する個体情報記憶手段と、を備え、
前記個体情報記憶手段は、前記サブ制御部を特定可能なサブＩＤ情報を記憶し、
前記表示手段は、前記２次元コード変換手段により変換された２次元コードを表示する
ことを特徴とする遊技機。
【請求項２】
前記個体情報記憶手段は、前記メイン制御部を特定可能なメインＩＤ情報を記憶する
ことを特徴とする請求項１記載の遊技機。
【請求項３】
前記サブ制御部は、
前記メイン制御部から入力される制御信号又は当該サブ制御部が自ら生成するエラー信号に基づいて、当該遊技機で発生したエラー情報を集計するエラー情報集計手段を備え、
前記個体情報記憶手段は、
前記エラー情報集計手段により集計された、エラーの種類と発生日をエラーごとに記憶するとともに発生回数の累計値をエラーの種類ごとに記憶する
ことを特徴とする請求項１又は２記載の遊技機。
【請求項４】
前記エラー情報集計手段は、前記メイン制御部から入力される制御信号に基づいて、所定の遊技データをエラー発生前後における所定ゲーム回数に亘って集計し、
前記個体情報記憶手段は、エラーの種類ごとに前記遊技データを記憶する
ことを特徴とする請求項３記載の遊技機。
【請求項５】
前記個体情報記憶手段は、遊技者又は遊技場の管理者の所持する所定の通信端末と通信可能に接続される所定の管理サーバーの接続情報を記憶する
ことを特徴とする請求項１〜４のいずれか一項に記載の遊技機。
【請求項６】
前記個体情報記憶手段は、前記メイン制御部から入力される制御信号又は当該サブ制御部が自ら管理する演出の進捗情報に基づいて求められる遊技履歴情報を記憶する
ことを特徴とする請求項１〜５のいずれか一項に記載の遊技機。
【請求項７】
ゲームの進行を管理するメイン制御部と、前記メイン制御部から入力される制御信号に基づいて所定の表示手段を駆動制御することにより、ゲームの進行に係る所定の演出制御を行うサブ制御部と、を備える遊技機と、
遊技者又は遊技場の管理者が所持する通信端末であって、前記表示手段に表示される２次元コードから前記遊技機に係る個体情報を読み取るとともに、読み取った個体情報を、所定の通信回線を介して、送信可能な通信端末と、
前記通信回線を介して、前記通信端末からの前記個体情報を受信するとともに前記個体情報を集計する管理サーバーと、を備える遊技機個体情報集計システムであって、
前記遊技機が、請求項１〜６のいずれか一項に記載の遊技機である
ことを特徴とする遊技機個体情報集計システム。
【請求項８】
前記通信端末は、
前記個体情報の読み取りによって起動される、読み取った個体情報を自動的に前記管理サーバーに送信する個体情報自動送信手段を備える
ことを特徴とする請求項７記載の遊技機個体情報集計システム。
【発明の詳細な説明】
【技術分野】
【０００１】
本発明は、２次元コードを表示可能な遊技機と、２次元コードに基づいて遊技機の情報を集計する集計システムに関し、特に、当該遊技機限りの個体情報を２次元コード化する遊技機と、この個体情報を遊技機別に集計する遊技機個体情報集計システムに関する。
【背景技術】
【０００２】
従来から、遊技場に設置されたスロットマシンやパチンコ機などの遊技機を個別に管理する個別管理システムが提案されている。
例えば、特許文献１に提案された個別管理システムでは、遊技機の各種動作を制御するための制御用チップ（ＣＰＵ、ＲＯＭ、ＲＡＭなどが一体化されたＩＣチップ）に記録されたＩＤ情報を用いて、これに遊技機のメーカー、遊技機の機種情報（スロットマシン、パチンコ機などの機類、機種名など）、設置されている遊技場名等の各種情報を関連付けることにより、遊技機を個別に管理できるようになっている。
【０００３】
この個別管理システムでは、管理システムに上記の各種情報とＩＤ情報とが予め登録されており、所定の通信端末からＩＤ情報をキーとして管理システムに問い合わせることにより、当該ＩＤ情報に関連付けられた遊技機の情報をネットワーク回線を介して取得できるようになっている。
また、管理システムは、遊技場から遊技機の大当り回数などの稼動情報を受信し、所定の設定値と比較することにより、遊技場における不正行為を監視できるようになっている。
【先行技術文献】
【特許文献】
【０００４】
【特許文献１】特開２０１０−２０１２４６号公報
【発明の概要】
【発明が解決しようとする課題】
【０００５】
ところで、遊技機は、通常、前述の制御用チップの搭載されたメイン制御部と、演出用チップ（ＣＰＵ、ＶＤＰ、ＲＯＭ、ＲＡＭなどのＩＣチップ）の搭載されたサブ制御部とを備え、メイン制御部がゲームの進行管理を行い、サブ制御部がメイン制御部から入力される制御信号に基づいて所定の表示手段等を駆動制御しながら、ゲームの進行に係る所定の演出制御を行うように構成されている。
近年では、サブ制御部がメイン制御部から入力される制御信号に基づいて遊技者に所定の操作を促すナビゲーション演出を行うことで、遊技機の出玉率を左右するように構成されたサブ制御部を有する遊技機がある（例えば、ＡＲＴ遊技状態における停止ボタンの押し順をナビゲーションするスロットマシンなど）。
【０００６】
このようなナビゲーション演出を行うか否かは、サブ制御部おける演出用チップ（ＲＯＭ）に記録された制御プログラムに基づいて決定されることから、常にナビゲーション演出を行うように演出用チップ（ＲＯＭ等）に不正な改造を施す不正行為が増加している。
このようなことから、制御用チップのみならず、演出用チップにもＩＤ情報を記録して個別に管理する技術が望まれていた。
【０００７】
また、遊技機を製造する遊技機メーカーでは、サブ制御部（演出用チップ）に対する不正行為のみならず、遊技機に関する様々なエラー情報を集計して、遊技場に設置した状態にある遊技機の実態を把握したいという要求がある。
例えば、遊技機に関するエラー情報には、遊技媒体を遊技機に投入したにもかかわらず遊技媒体が途中で詰まる投入詰まり、遊技媒体を遊技機外部に払い出そうとしているにもかかわらず遊技媒体が途中で詰まる払出詰まり、遊技媒体の過小又は過大払い出しに係る払出エラーなどがあり、これらの各種エラーは、通常、遊技場の店員等によりその場で処理されて解消されることから、遊技機メーカーでは発生したエラーの種別、これらの発生頻度等を詳細に把握することできない。
【０００８】
その結果、遊技機メーカーは、遊技場の管理者等から間接的にエラー情報を聴取するに過ぎず、発生したエラーの種別、これらの発生頻度等の詳細なエラー情報を取得することができないことから、後継機等に対して不具合の改善を的確に行なうことができなかった。
【０００９】
本発明は、上述したような従来の技術が有する問題を解決するために提案されたものであり、サブ制御部を個別に管理するために演出用チップにもＩＤ情報を記録するとともに、このＩＤ情報と所定のエラー情報を当該遊技機限りの個体情報として遊技者又は遊技場の関係者等が携行する通信端末から遊技機メーカーの管理する管理サーバーに送信させるために、サブ制御部の駆動制御する表示手段にこれらの情報を２次元コード化して表示させる遊技機と、通信端末と所定の通信回線を介して接続され、受信した個体情報を集計管理する管理サーバーを備える遊技機個体情報集計システムの提供を目的とする。
【課題を解決するための手段】
【００１０】
上記目的を達成するため、本発明の遊技機は、ゲームの進行を管理するメイン制御部と、前記メイン制御部から入力される制御信号に基づいて所定の表示手段を駆動制御することにより、ゲームの進行に係る所定の演出制御を行うサブ制御部と、を備える遊技機であって、前記サブ制御部は、一又は二以上の情報からなる当該遊技機に係る個体情報を一の２次元コードに変換する２次元コード変換手段と、前記２次元コード変換手段により変換される個体情報を記憶する個体情報記憶手段と、を備え、前記個体情報記憶手段は、前記サブ制御部を特定可能なサブＩＤ情報を記憶し、前記表示手段は、前記２次元コード変換手段により変換された２次元コードを表示する構成としてある。
【００１１】
本発明の遊技機個体情報集計システムは、ゲームの進行を管理するメイン制御部と、前記メイン制御部から入力される制御信号に基づいて所定の表示手段を駆動制御することにより、ゲームの進行に係る所定の演出制御を行うサブ制御部と、を備える遊技機と、遊技者又は遊技場の管理者が所持する通信端末であって、前記表示手段に表示される２次元コードから前記遊技機に係る個体情報を読み取るとともに、読み取った個体情報を、所定の通信回線を介して、送信可能な通信端末と、前記通信回線を介して、前記通信端末からの前記個体情報を受信するとともに前記個体情報を集計する管理サーバーと、を備える遊技機個体情報集計システムであって、前記遊技機を本発明の遊技機としてある。
【発明の効果】
【００１２】
本発明の遊技機と遊技機個体情報集計システムによれば、サブ制御部に対する不正改造を確実に発見することができるとともに、遊技機で発生したエラー情報を漏れなく集計できるので、後継機等に対して不具合の改善策を的確に施すことができる。
【図面の簡単な説明】
【００１３】
【図１】本発明の一実施形態に係る遊技機の外観を示す概略正面図である。
【図２】本発明の一実施形態に係る遊技機の内部構成を示す概略斜視図である。
【図３】本発明の一実施形態に係る遊技機の制御構成を示すブロック図である。
【図４】本発明の一実施形態に係る遊技機が集計した個体情報を示す図表である。
【図５】本発明の一実施形態に係る遊技機個体情報集計システムの概略構成を示す構成図である。
【図６】本発明の一実施形態に係る管理サーバーが集計する個体情報を示す図表である。
【発明を実施するための形態】
【００１４】
以下、本発明に係る遊技機と、遊技機個体情報集計システムの好ましい実施形態について、各図を参照して説明する。
【００１５】
［遊技機］
ゲームの進行を管理するメイン制御部と、メイン制御部から入力される制御信号に基づいて所定の表示手段を駆動制御することにより、ゲームの進行に係る所定の演出制御を行うサブ制御部と、を備える遊技機には、スロットマシン、パチンコ機など様々な種類があるが、本実施形態では、本発明をスロットマシンに適用した場合について説明する。
【００１６】
本実施形態のスロットマシン１は、複数のリールを回転させることによって遊技媒体であるメダルを獲得できる回胴式遊技機として構成されているうえに、サブ制御部は、一又は二以上の情報からなる当該スロットマシン１に係る個体情報を一の２次元コードに変換する２次元コード変換手段と、２次元コード変換手段により変換される個体情報を記憶する個体情報記憶手段と、を備え、個体情報記憶手段は、サブ制御部を特定可能なサブＩＤ情報を記憶し、表示手段は、２次元コード変換手段により変換された２次元コードを表示するように構成されている。
以下、本実施形態に係るスロットマシン１について図１〜図４を参照しながら詳述する。
【００１７】
これらの図に示すように、本実施形態のスロットマシン１は、回動可能に軸支された複数のリール４１ａ，４１ｂ，４１ｃが内蔵され、正面側が開口した筐体１ｂと、筐体１ｂの正面側を開閉可能に覆う前扉１ａとで構成され、内部には、マイクロコンピュータ等で構成されたメイン制御部１０、メイン制御部１０からの指令により、表示器８，スピーカ９，ＬＥＤ等のランプ類を制御するサブ制御部２０、及び必要な機械，装置等が収納されている。
【００１８】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１９】
操作手段としては、メダルが投入されるメダル投入口２と、装置内部にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
さらに、前扉１ａには、各リール４１ａ，４１ｂ，４１ｃに表示された図柄を視認可能とする表示窓６が、各操作手段の上側に設けられている。また、前扉１ａ上部には、液晶ＴＶなどの表示手段からなる表示器８と、効果音、音声等が出力されるスピーカ９が設けられている。
【００２０】
筐体１ｂの中央には、リール４１ａ，４１ｂ，４１ｃと、各リール４１ａ，４１ｂ，４１ｃを回転させる図示しないモータ及び回転位置を検出するセンサ等を備えるドラムユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ｂにより検出されるとともに、ホッパー７ａに誘導されるようになっている。
【００２１】
メイン制御部１０は、メインＣＰＵ、メインＲＯＭ、メインＲＡＭなどが一体化された制御用チップの搭載されたメイン基板、これを収容する基板ケース等から構成され、上記の各操作手段からの信号やメダルセレクタ２ｂからの信号に基づき、ドラムユニット４、メダル払出装置７などの各装置を制御することで、以下のようなスロットマシン遊技を進行させる。
【００２２】
具体的には、遊技者によりメダル投入口２からメダルが投入されると、メダルがメダルセレクタ２ｂにより検出され、検出信号がメイン制御部１０に入力される。また、ベットボタン２ａが操作された場合は、その操作信号がメイン制御部１０に入力される。メイン制御部１０は、これらの信号の入力の有無からゲーム可能なメダル数を監視するとともに、スタートレバー３の操作を監視する。
ゲーム可能なメダル数となったときに、スタートレバー３が操作されると、メイン制御部１０は、ドラムユニット４を駆動して、各リール４１ａ，４１ｂ，４１ｃを回転させる制御を行う。
【００２３】
さらに、メイン制御部１０は、スタートレバー３が操作されたときに、ボーナス役、小役、再遊技役、ハズレの複数の抽選対象の中から今回ゲームの当選対象を抽選する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００２４】
また、メイン制御部１０は、各リール４１ａ，４１ｂ，４１ｃに停止表示される図柄の組合せを判定し、所定の図柄の組合せのときには、メダル払出装置７に対して所定数のメダルを払い出す制御を行い、メダルをメダル払出口７ｂから払い出す。
【００２５】
また、スロットマシン１では、上述したようなスロットマシン遊技において、メイン制御部１０が所定の遊技タイミング（例えば、スタートレバー操作、停止ボタン操作、ボーナスゲーム開始、ボーナス役当選）において所定の制御信号をサブ制御部２０に出力することで、サブ制御部２０が、この制御信号に従い、予め記憶した演出プログラムに基づき、表示器８、スピーカ９等を制御して、所定の遊技演出を行うようになっている。
【００２６】
メイン制御部１０からサブ制御部２０に出力される制御信号には、例えば、スタートレバー操作、停止ボタン操作、ボーナスゲーム開始などの遊技の進行を示す制御信号の他に、内部抽選の結果当選した抽選対象を示す当選対象信号（例えば、当選したボーナス役の種類［ビッグボーナス、レギュラーボーナス］、当選した小役の種類、再遊技役、ハズレなど）、遊技機のエラー状態を示すエラー信号などがある。
【００２７】
エラー信号は、スロットマシン１の機能的な不具合に起因するエラー信号と、スロットマシンに対する不正行為に起因するエラー信号があり、不具合に起因するエラー信号には、メダルセレクタ２ｂにおいてメダルの検出時間が所定時間以上となった場合に検出される投入メダル詰まりエラー、メダル払出装置７においてメダルが貯留されているにもかかわらず払い出されない払出メダル詰まりエラー、メダル払出装置７が所定数より過剰又は過小のメダルを払い出す払出エラーなどがある。
また、不正行為に起因するエラー信号には、メダルセレクタ２ｂに擬似メダルを検出させてクレジット数を増加させるクレジットゴトエラー、営業時間内における設定確率の変更を示す設定変更ゴトエラーなどがある。
さらに、制御用チップに記憶されたＩＤ情報を示すメインＩＤ情報信号が、メイン制御部１０からサブ制御部２０に出力される（例えば、スロットマシン１の電源投入時に出力）。
【００２８】
［サブ制御部］
サブ制御部２０は、メイン制御部１０と同様にコンピュータとして構成され、表示制御部２０ａと音制御部２０ｂとを制御することで、所定の映像演出及び音響演出を行う演出制御の他に、本発明の特徴となっている、記憶する一又は二以上の個体情報を一の２次元コードに変換して表示器８に表示させる制御を行うようになっている。
以下、サブ制御部２０について詳細に説明する。
【００２９】
サブ制御部２０は、サブＣＰＵ、サブＲＯＭ、サブＲＡＭなどの演出用チップの搭載されたサブ基板、これを収容する基板ケース等から構成され、サブＣＰＵがサブＲＯＭに記憶されたプログラムを実行処理することで、表示制御部２０ａと音制御部２０ｂとを制御して、表示器８に所定の画像を表示させるとともに、スピーカ９から所定の音データを出力させる。
【００３０】
表示制御部２０ａは、例えば、画像制御用のプロセッサ（ＶＤＰなど）、ＶＲＡＭ、画像データを記憶した画像ＲＯＭなどから構成され、サブＣＰＵからの指示に従い、背景、文字等のキャラクタなどの画像データを表示器８に表示する。
【００３１】
音制御部２０ｂは、例えば、ＰＣＭ音源、効果音及び音声などの音データを記憶した音声ＲＯＭ、アンプなどから構成され、サブＣＰＵからの指示に従い、音データを再生してスピーカ９から出力する。
【００３２】
このような構成からなるサブ制御部２０は、メイン制御部１０からの制御信号にもとづいて以下のように動作する。
具体的には、サブＣＰＵは、メイン制御部１０からの制御信号にもとづいてスロットマシン１のそのときの状態を判定し、その状態に応じた演出を行うように表示制御部２０ａと音制御部２０ｂとに指示し、この指示を受けた表示制御部２０ａと音制御部２０ｂが、この指示に従った画像データ、音データを出力するようになっている。
【００３３】
例えば、メイン制御部１０から遊技の進行を示す制御信号としてボーナス遊技の開始を示す制御信号を受信したときには、サブＣＰＵは、表示制御部２０ａと音制御部２０ｂとにボーナス遊技開始の演出を行うように指示し、表示制御部２０ａは表示器８を制御してボーナス開始の画像を表示させるとともに、音制御部２０ｂはスピーカ９から所定のファンファーレ音を出力させる。
また、遊技機のエラー状態を示す制御信号として投入メダル詰まりエラーを受信したときには、サブＣＰＵは、表示制御部２０ａと音制御部２０ｂとに投入メダル詰まりエラーに係る演出を行うように指示し、表示制御部２０ａは表示器８を制御して「投入メダルが詰まりました。店員をお呼びください。」などのメッセージ画像を表示させるとともに、音制御部２０ｂはスピーカ９から所定の警報音を出力させる。
【００３４】
また、サブ制御部２０は、以上のようなスロットマシン１の状態に応じた遊技演出を行う他に、サブＲＯＭ、サブＲＡＭなどの記憶手段に記憶した個体情報を、２次元コードに変換して表示器８に表示させる。
【００３５】
サブＲＯＭ、サブＲＡＭなどの記憶手段は、本発明に係る個体情報記憶手段の一例であり、演出用チップ（例えば、サブＲＯＭ）のＩＤ情報を示すサブＩＤ情報を記憶するとともに、メイン制御部１０から入力されるメインＩＤ情報を記憶する。
また、メイン制御部１０から入力されるエラー信号又は当該サブ制御部２０が自ら生成するエラー信号に基づいて集計されたエラー情報を記憶する。
ここで、サブＲＡＭに記憶されているＩＤ情報及びエラー情報を、図４に示す。
【００３６】
図４に示すように、サブＲＡＭには、サブＩＤ情報（例えば、サブＲＯＭのＩＤ）と、メインＩＤ情報（制御用チップのＩＤ情報）と、エラー情報とが当該スロットマシン１限りの個体情報として記憶されている。
エラー情報としては、エラーの種類とエラーの発生日と発生回数が、最大１００日分記憶されるようになっている。
このような個体情報の集計は、サブＣＰＵがサブＲＯＭに記憶された制御プログラムを実行することにより行われ、逐次サブＲＡＭに記憶されるようになっている。
【００３７】
具体的には、サブＣＰＵは、メイン制御部１０から入力される制御信号を監視し、メインＩＤ情報信号が入力されると、サブＲＡＭの所定記憶領域に、メインＩＤ情報を格納するとともに、各種エラー信号が入力されると、サブＲＡＭのエラー信号の種類別に設けられた記憶領域に、入力された日（時）を発生日（時間を含む概念、以下同じ）として格納するとともに、発生日の格納ごとに発生回数をプラス１更新して格納する（エラー情報集計手段）。なお、発生日はサブ制御部２０内において更新されるタイマ等に基づいて取得される。
【００３８】
また、サブＣＰＵは、サブＲＯＭに記憶されたサブＩＤ情報をロードし、サブＲＡＭの所定記憶領域に、サブＩＤ情報を格納する。
さらに、サブ制御部２０には、サブ基板を収容する基板ケースの開封を検出する開封センサを備えており、サブＣＰＵは、開封センサを監視し、開封センサのオン（開封）を検出すると、これが自ら生成するエラー信号となり、サブＲＡＭの所定記憶領域に、そのオン検出日を発生日として格納するとともに、発生日の格納ごとに発生回数をプラス１更新して格納する。これにより、サブ制御部開封エラーが集計される。
また、サブＣＰＵは、サブＲＯＭに予め記憶された遊技機メーカーの運営するＷｅｂサイトの接続情報（例えば、ＵＲＬ）をロードし、サブＲＡＭの所定記憶領域に、その接続情報を格納する。
【００３９】
また、サブＣＰＵは、メイン制御部１０からサブ制御部２０に入力される、遊技の終了を示す制御信号に基づいて、その入力タイミングまでの遊技履歴情報をサブＲＡＭの所定記憶領域に格納する。
遊技履歴情報とは、例えば、ゲーム回数、ボーナス回数など累計値を示す遊技データや、サブ制御部２０で行われるストーリー性のある演出の進捗情報（ストーリーの進行度を示す情報）などの、当該遊技者に係る遊技履歴を示す情報である。
【００４０】
このような遊技履歴情報は、例えば、ゲーム回数、ボーナス回数ならば、メイン制御部１０からサブ制御部２０に入力される、スタートレバー操作、ボーナスゲーム開始を示す制御信号のそれぞれの入力回数を累計することで、求めることができる。
また、演出の進捗情報ならば、サブ制御部２０が自ら管理する、ストーリーの進行度を示すタイマ値（ストーリーの始まりからの時間値）、ストーリーの区切りを示す章数などから求めることができる。
遊技履歴情報は、遊技の終了を示す制御信号である、例えば、精算ボタンなどの遊技者により操作される遊技の終了に係る操作手段の操作に伴ってメイン制御部１０からサブ制御部２０に入力される制御信号の入力タイミングで、サブＲＡＭの所定記憶領域に格納される。
【００４１】
さらに、サブＣＰＵは、メイン制御部１０から入力される制御信号に基づいて、所定の遊技データをエラー発生前後における所定ゲーム回数に亘って集計し、これをエラー情報の一部としてサブＲＡＭの所定記憶領域に格納する。
【００４２】
所定の遊技データには、例えば、エラーの発生前後のそれぞれ３００ゲーム間における、平均出玉率（ボーナス遊技中の獲得メダル数を除いた、いわゆる通常ベース）、ボーナス回数など遊技データがある。
【００４３】
平均出玉率は、メイン制御部１０からサブ制御部２０に入力される、スタートレバー操作を示す制御信号と、内部抽選の結果当選した抽選対象を示す当選対象信号のうちの小役当選を示す制御信号とから、算出することができる。
例えば、出玉率は投入メダル数に対する払出メダル数の割合を示す数値であることから、投入メダル数は、ゲーム開始可能となるメダル数が常に一定のメダル数（例えば、３枚）であれば、スタートレバー操作を示す制御信号の入力数に、ゲーム開始可能となるメダル数を乗じることで算出される。
また、小役当選により払出されるメダル数は予め定められていることから、払出メダル数は、小役当選を示す制御信号の入力数に、払出されるメダル数を乗じることで算出される。
そうすると、平均出玉率は、エラーの発生前後において、所定ゲーム回数分の投入メダル数の累計値に対する所定ゲーム回数分の払出メダル数の累計値の割合を算出することで求めることができる。
【００４４】
また、ボーナス回数は、エラーの発生前後において、それぞれ所定ゲーム回数の間に発生したボーナスゲームの発生回数を累計することで求めることができる。
【００４５】
なお、エラーの発生後における所定ゲーム回数の間の、平均出玉率とボーナス回数は、エラー発生を契機として、所定ゲーム回数の間の、平均出玉率とボーナス回数とを算出することで求めることができ、エラーの発生前における所定ゲーム回数の間の、平均出玉率とボーナス回数は、エラー発生の有無にかかわらず、所定ゲーム回数の間の平均出玉率とボーナス回数とを常に算出しておき、エラーの発生時おいて、そのときまでの平均出玉率とボーナス回数とを、エラーの発生前における平均出玉率とボーナス回数として確定することで、求めることができる。
【００４６】
このように、遊技データは、エラーの発生前後における遊技履歴を示す情報となっていることから、エラー発生前後での遊技データの差異を比較することができ、発生したエラーが不正行為に起因するものか否かを判断するための材料となる。
これは、所定のエラーが発生し、その前後において、所定ゲーム回数の間の平均出玉率やボーナス回数を比較したとき、エラー発生前よりもエラー発生後の方が、平均出玉率が高く、またはボーナス回数が多い場合には、発生したエラーが不正行為に起因するものと判断することができるからである。
【００４７】
例えば、サブ制御部開封エラーが発生し、その前後において、所定ゲーム回数の間の平均出玉率を比較したとき、エラー発生前よりもエラー発生後の方が、平均出玉率が高い場合には、発生したエラーが不正行為に起因するもの判断することができる。これは、例えば、スロットマシン１の一遊技状態であるＡＲＴ遊技状態において、サブ制御部２０が小役に当選したときに所定の確率をもって停止ボタン５の押し順をナビゲーションする演出機能を有するとき、サブ制御部２０の基板ケースを開封して、ナビゲーションする確率の高く設定されたサブＲＯＭへの不正な差し替えが想定されるからである。
【００４８】
また、所定のエラーが発生し、その前後において、所定ゲーム回数の間の平均出玉率やボーナス回数を比較したときに、エラー発生前とエラー発生後の、平均出玉率やボーナス回数が変わらない場合には、発生したエラーが不正行為に起因する可能性が高い種類のものであっても（例えば、サブ制御部開封エラー、設定変更ゴトエラー）、単にメンテナンスのために発生したエラーであると判断することもできる。
このように、発生したエラーの種類を考慮しながら、その前後に亘る遊技データを比較することにより、発生したエラーの信憑性を確認することができる
【００４９】
このように求められたエラーの発生前後における遊技データ（例えば、平均出玉率、ボーナス回数）は、サブＲＡＭのエラー信号の種類別に設けられた記憶領域に、前述した発生日とともに、格納される。
すなわち、エラーの発生前後における遊技データは、エラー情報の一部として、発生したエラーの種類と関連付けられて記憶される。
【００５０】
さらに、サブＣＰＵは、図１に示すように、サブＲＡＭに格納された個体情報（ＩＤ情報、エラー情報［エラーの発生前後における遊技データを含む］、接続情報、遊技履歴情報）が所定の規約に基づいて２次元コード化された２次元コード８１を表示器８に表示させる。
具体的には、サブＣＰＵは、サブＲＯＭに記憶された変換プログラムを実行することにより、サブＲＡＭに格納された一又は二以上の個体情報を一の２次元コードに変換して表示器８に表示させる。例えば、本実施形態では、個体情報を２次元コード化したものとしてＱＲコード（登録商標）を表示する。
これにより、例えば、遊技者や遊技場の管理者等が自ら所持する通信端末（例えば、デジタルスチルカメラ付き携帯電話）を用いて２次元コード８１の画像を撮像するとともに、２次元コード８１を文字情報に変換することにより、当該スロットマシン１の個体情報を通信端末に読み込むことができる。
また、この個体情報には接続情報も含まれていることから、個体情報をその接続情報の示すＷｅｂサイトに直ちに送信することができ、個体情報の送信を促進させることができる。
【００５１】
スロットマシン１を以上のように構成することにより、遊技者や遊技場の管理者等により、２次元コード化された個体情報が通信端末を介して遊技機メーカーの運営する専用のＷｅｂサイトに送信されることになり、Ｗｅｂサイトを管理する管理サーバーは個体情報を集計管理することができる。
そして、この管理サーバーに、メインＩＤ情報、遊技機の機類（スロットマシン、パチンコ機の区分）、機種名、設置遊技場名などの情報をサブＩＤ情報ごとに関連付けて予め登録することにより、通信端末から受信したサブＩＤ情報を検索キーとして、受信した個体情報と、予め登録されたメインＩＤ情報、遊技機の機類、機種名、設置遊技場名などの個体情報とを照合することができる。
これにより、例えば、受信したサブＩＤ情報が予め登録された個体情報のリストに掲載されていないときや、受信したサブＩＤ情報に係るメインＩＤ情報と、予め登録されたサブＩＤ情報に係るメインＩＤ情報とが異なるときなどの、受信した個体情報と、予め登録されたサブＩＤ情報及びメインＩＤ情報との間に食い違いが生じているときは、サブ制御部２０に対して何らかの不正改造があったものと判定できるとともに、スロットマシン１で発生したエラー情報を漏れなく集計できるので、後継機等に対して不具合の改善策を的確に施すことができる。
【００５２】
また、通信端末が地球の所定軌道上を周回する複数のＧＰＳ衛星からＧＰＳ信号を受信可能な携帯電話である場合には、このＧＰＳ信号にもとづき携帯電話の正確な位置情報（緯度経度情報）を求めることができるので、この位置情報を、２次元コード８１から取得した個体情報とともに、Ｗｅｂサイトに送信することもできる。
これにより、管理サーバーに設置遊技場の位置情報（緯度経度情報）を予め登録しておくことにより、予め登録された設置遊技場の位置情報と、受信した位置情報との間に食い違いが生じているときは、サブ制御部２０が正規な設置場所と異なる設置場所に不正に移動されているものと判定できる。
このような２次元コード８１の運用形態は、以下のような遊技機個体情報集計システムを構築することにより実現できる。
【００５３】
［遊技機個体情報集計システム］
本実施形態に係る遊技機個体情報集計システム１００は、スロットマシン１の表示器８に表示された２次元コード８１を効果的に運用するためのシステムの一例であり、図５に示すように、本発明に係るスロットマシン１と、遊技機別の個体情報を専用のＷｅｂサイト（以下、専用サイトという）を介して集計管理する管理サーバー１１０と、遊技者又は遊技場の関係者（以下、遊技者等という）が所持する通信端末であって表示器８に表示された２次元コード８１から取得した個体情報を専用サイトに送信する携帯電話１２０と、専用サイトと提携する外部サイトを管理する外部サーバー１３０と、携帯電話会社の運営サーバー１４０と、から構成されている。
【００５４】
管理サーバー１１０と運営サーバー１４０とは、所定の通信回線を介して接続されており、運営サーバー１４０は、携帯電話会社が運営する非図示の基地局からなる移動通信網を介して携帯電話１２０と通信可能に接続されている。
また、管理サーバー１１０は、外部サーバー１３０とも、所定の通信回線を介して接続されている。
なお、この「所定の通信回線」は、従来公知の任意好適な公衆回線、商業回線又は専用回線であって、双方向又は一方向のデータ通信を可能とするものであり、例えば、インターネット回線網，イントラネット網，ＬＡＮ，ＷＡＮ，アナログ電話網，ディジタル電話網等が該当し、本実施形態においてはインターネット回線網を用いるものとする。
【００５５】
このようなシステム構成により、管理サーバー１１０は、携帯電話１２０から送信される個体情報（エラー情報を含む）の集計、予め登録された遊技機別の個体情報との照合、エラー情報の解析、個体情報送信への見返りとしての遊技者等への特典の付与など種々の処理を行うことができる。
【００５６】
具体的には、管理サーバー１１０は、遊技機メーカーが運営する専用サイトを管理するＷｅｂサーバーであり、専用サイトは、例えば、トップページ、会員登録ページ、個体情報送信アプリケーションのダウンロードページ、ポイントサービスのページ等からなり、各ページに掲載された情報がＷｅｂブラウザ等を介して閲覧できるようになっている。
【００５７】
また、管理サーバー１１０は、ＲＯＭ、ＲＡＭ、ＨＤＤなどの記憶手段を備え、この記憶手段に、例えば、図６に示すように、サブＩＤ情報、メインＩＤ情報、設置遊技場名、設置遊技場の位置情報（緯度経度情報）、遊技機の機類（スロットマシン、パチンコ機の区分）、機種名などの個体情報が予め関連付けられて登録されている。
これにより、管理サーバー１１０は、サブＩＤ情報を検索キーとして、遊技者等の所持する携帯電話１２０から送信される個体情報や位置情報との照合を行うことができる。
【００５８】
例えば、管理サーバー１１０は、受信したサブＩＤ情報が予め登録された個体情報のリストに掲載されていないときや、受信したサブＩＤ情報に係るメインＩＤ情報と、予め登録されたサブＩＤ情報に係るメインＩＤ情報とが異なるときなどの、受信した個体情報と、予め登録された個体情報との間に食い違いが生じているときは、スロットマシン１のサブ制御部２０に対して何らかの不正改造があったものと判定することができる。
【００５９】
また、管理サーバー１１０は、予め登録された設置遊技場の位置情報と、受信した位置情報との間に食い違いが生じているときは、サブ制御部２０が正規な設置場所と異なる設置場所に不正に移動されたものと判定できる。
【００６０】
また、管理サーバー１１０は、図６に示すように、携帯電話１２０から送信されるエラー情報をその記憶手段に蓄積して記憶することができる。
これにより、蓄積したエラー情報を、設置遊技場ごとや機種名ごとに分類することにより、エラー情報を解析することができ、例えば、クレジットゴトエラー、設定変更ゴトエラー、サブ制御部開封エラーなどの不正行為に起因するエラーが多発している遊技場を抽出したり、投入メダル詰まりエラー、払出メダル詰まりエラー、払出エラーなどの機能的な不具合に起因するエラーが多発する機種名の遊技機（スロットマシン１）を抽出したりすることができる。
このとき、エラーの発生日も蓄積して記憶されているため、どの種類のエラーが、何日（何時間）に発生し、合計何回発生しているのかが分かることから、所定の期間（例えば、１カ月単位など）における、エラーの種類ごとの発生頻度を、管理サーバー１１０に算出させることもできる。
【００６１】
また、携帯電話１２０から送信されるエラー情報には、エラーの発生前後に亘る遊技データも含まれることから、エラーの発生前後における遊技データをそれぞれ比較することにより、発生したエラーの信憑性を解析することができる。
例えば、受信したエラー情報から特定されるエラーの種類が機能的な不具合に起因するエラーであっても、不正行為に起因するエラーであると判断することができ（エラー発生前よりもエラー発生後の方が、平均出玉率が高く、またはボーナス回数が多い場合など）、また、受信したエラー情報から特定されるエラーの種類が不正行為に起因するエラーであっても、不正行為がなかったものと判断することができ（エラー発生前とエラー発生後で、平均出玉率とボーナス回数が変わらない場合など）、発生したエラーを解析するとき、その信憑性を確認することができる。
なお、このような判断は、例えば、エラーの発生前後における遊技データのそれぞれの数値が所定値以上離れている場合、不正行為があったものと判定するという処理を、管理サーバー１１０に実行させることで、自動化することもできる。
【００６２】
このような解析結果に基づいて、抽出した遊技場に対して不正行為の実態を報告するサービス等の提供、エラーが多発する遊技機の後継機等に対して改善策の施行などを行うことができる。
【００６３】
また、管理サーバー１１０は、個体情報を携帯電話１２０を介して送信した見返りとして、予め会員登録した遊技者等に対して特典を付与することができる。
例えば、遊技者等が携帯電話１２０等を介して必要項目を入力することにより無料で会員登録することができる会員登録ページを専用サイトに開設するとともに、管理サーバー１１０が会員ごとのポイントを専用サイトを介して閲覧可能に記憶することにより、携帯電話１２０からの個体情報の送信ごとに一定の有価ポイントを遊技者等に対して付与することができる。
そして、遊技者等は、貯めたポイントに応じて、専用サイトから所定の景品（例えば、着メロ（登録商標）など）をダウンロードすることができる。また、貯めたポイントを遊技場に隣接する飲食店のサービス券など交換できるようにするなど、地域の商店等と連携を通して地域振興に役立てることもできる。
【００６４】
また、この専用サイトで貯めたポイントを外部サーバー１３０に振り替えることにより、遊技者等は多彩なポイントサービスを享受することもできる。
例えば、外部サーバー１３０が、遊技機メーカーと提携するポイントサービス会社の運営するＷｅｂサイト（外部サイト）のサイト管理サーバーである場合には、専用サイトのポイントサービスとは異なる他のポイントサービスとして、貯めたポイントを各種の商品・サービスの購入等に割り当てるサービスを享受することもできる。
【００６５】
このように、個体情報を携帯電話１２０を介して送信した見返りとして、予め会員登録した遊技者等に対して有価ポイント等の特典を付与することにより、遊技者等に個体情報を送信しようとするインセンティブが働くことから、管理サーバー１１０はより多くの個体情報を受信することができ、これにより集計する個体情報の母数が増加することから、情報の信頼度を高めることができる。
【００６６】
また、管理サーバー１１０は、会員ごとのポイントと同様に、個体情報に含まれる遊技履歴情報を、専用サイトを介して閲覧可能（又は携帯電話１２０を介してダウンロード可能）に記憶することもできる。
これにより、遊技者等は、例えば、前回の遊技におけるゲーム回数や、ボーナス回数を、携帯電話１２０を介して管理サーバー１１０から取得することにより、自分の遊技履歴を確認することができる。
また、ストーリー性のある演出の進捗情報を、携帯電話１２０を介して管理サーバー１１０から取得するとともに、この進捗情報をスロットマシン１に入力することで、前回のストーリーから今回のスロットマシン遊技を再開することができる。
【００６７】
これは、例えば、スロットマシン１に所定の文字入力手段（例えば、表示器８に表示されるソフトキーボードと、これを操作可能なコントロールキーなど）を設けるとともに、この文字入力手段を介して管理サーバー１１０から取得した進捗情報をサブＲＡＭに入力することにより、サブＣＰＵがこの入力された進捗情報に基づいて表示制御部２０ａと音制御部２０ｂとを制御することで、前回のストーリーからの演出を再開させることで実現される。
【００６８】
また、専用サイトには、会員登録の有無にかかわらず、２次元コード８１からの個体情報の読み取りによって起動される、読み取った個体情報を自動的に管理サーバー１１０に送信する自動送信アプリケーションをダウンロード可能なページが開設されている。
これにより、遊技者等が専用サイトからこのアプリケーションをダウンロードして携帯電話１２０にインストールすることにより、携帯電話１２０は、２次元コード８１の撮像ごとに、このアプリケーション（撮像により変換された個体情報を指定するＵＲＬに自動送信するプログラム）を起動し、２次元コード８１から読み取った個体情報を自動的に管理サーバー１１０に送信することができる。
その結果、管理サーバー１１０は、携帯電話１２０による２次元コード８１の撮像から遅滞なく個体情報を集計することができる。
【００６９】
以上、本発明の実施形態に係る遊技機個体情報集計システム１００によれば、サブ制御部２０に対する不正改造を確実に発見することができるとともに、スロットマシン１で発生したエラー情報を漏れなく集計できるので、後継機等に対して不具合の改善策を的確に施すことができる。
【００７０】
以上、本発明の遊技機と遊技機個体情報集計システムの好ましい実施形態について説明したが、本発明に係る遊技機と遊技機個体情報集計システムは上述した実施形態にのみ限定されるものではなく、本発明の範囲で種々の変更実施が可能であることはいうまでもない。
【００７１】
例えば、遊技機（スロットマシン１）において、２次元コード８１（ＱＲコード（登録商標））を表示器８に表示させるタイミングは、任意のタイミング又は特定のタイミングとすることができる。
特定のタイミングとしては、例えば、会員登録した遊技者等のみしか知らない特殊な操作をスロットマシン１の操作手段に対して行うことで（例えば、確率設定用の設定キーをオンしながら、ベットボタンを押下するなど）、表示するように構成することもできる。
また、遊技者等が所定数以上のメダルを投入したタイミング以降において、２次元コードを表示することもできる。これにより、遊技機の稼動率を向上させることができる。
【００７２】
また、個体情報であることを意識させることなく、遊技者等に個体情報を送信させることもできる。
例えば、読み取った個体情報を、管理サーバー１１０が解読可能であって遊技者等が解読不能に暗号化するとともに、２次元コード（ＱＲコード（登録商標））に含まれる情報を専用サイトに送信することの見返りとして、遊技者等が遊技機に関する情報（現在の設定確率情報、機種情報など）を専用サイトからダウンロード可能とすることにより、遊技者等に意識させることなく、個体情報を送信させることもできる。
【００７３】
また、反対に、２次元コードから取得した個体情報と、管理サーバー１１０が管理する予め登録された個体情報とを、遊技者等に自ら照合させることもできる。
すなわち、管理サーバー１１０が管理する予め登録された個体情報を専用サイトを介して閲覧可能にすることにより、遊技者等が２次元コードから取得した個体情報と予め登録された個体情報とを照合することもできる。これにより、特に遊技場の関係者がこのような照合を行うことで、サブ制御部に対する不正改造を早期に発見することができる。
【００７４】
また、スロットマシン１において集計したエラー情報等の個体情報は、本実施形態では、サブＲＡＭに記憶されるようにしたが、専用の不揮発性ＲＯＭ等を設け、これに蓄積して記憶させることもできる。
【００７５】
サブＩＤ情報とエラー情報をまとめて一の２次元コードに変換したが、別々の２次元コードに変換して、それぞれの２次元コードを個別に表示器８に表示させるとともに、個別に管理サーバー１１０に送信させることもできる。
また、この場合、エラー情報に係る２次元コードにメインＩＤ情報を含ませることもできる。
【００７６】
また、本実施形態では、通信端末を携帯電話１２０としたが、小型のパーソナルコンピュータやスマートフォンなど、２次元コード読取機能やＧＰＳ受信機能を有する他の通信端末を用いることもできる。
【００７７】
また、専用サイトや外部サイト等には、ＳＮＳなどの機能を有するＷｅｂページを設け、会員同士でポイントやメッセージ等の交換ができるようにしてもよい。このようにすると会員同士のつながりをもたせることができ、より付加価値の高い遊技機個体情報集計システムを実現することができる。
【産業上の利用可能性】
【００７８】
本発明は、メイン制御部とともにサブ制御部を備える、スロットマシン、パチンコ機などの遊技機に好適に利用することができる。
【符号の説明】
【００７９】
１  スロットマシン（遊技機）
１０  メイン制御部
２０  サブ制御部（２次元コード変換手段、個体情報記憶手段、エラー情報集計手段）
８  表示器
８１  ２次元コード
１００  遊技機個体情報集計システム
１１０  管理サーバー
１２０  携帯電話（通信端末）
１３０  外部サーバー
１４０  運営サーバー
【図１】
0005857284.tif 000002
【図２】
0005857284.tif 000003
【図３】
0005857284.tif 000004
【図４】
0005857284.tif 000005
【図５】
0005857284.tif 000006
【図６】
0005857284.tif 000007